(57)【特許請求の範囲】
【請求項１】
閉扉状態を保持する掛け金が角ボルト状に形成される錠装置であって、
扉開閉端の縦框に収容される錠ケースと、
扉面に垂直な軸回りで回動自在となって該錠ケースに内設され扉表裏に設けられる操作部材によって回動される入力部材と、
前記扉面と平行な板材からなり前記縦框の長手方向に沿って往復動自在に前記錠ケースに内設されるスライドカム板と、
前記縦框の扉開閉端面から進退するよう横方向に往復動自在に前記錠ケースに内設される角ボルトと、
前記入力部材に形成され該入力部材の一方向の回転によって前記スライドカム板を押し上げる押圧板部と、
前記スライドカム板と前記角ボルトに亘って設けられ前記スライドカム板の上下動を前記角ボルトの後退・進出動に変換して伝達する係合手段と、
前記錠ケースに設けられ前記スライドカム板の上端移動位置で該スライドカム板に係止解除可能に係止して該スライドカム板を前記上端移動位置に保持するラッチ体と、
を具備したことを特徴とする錠装置。
【請求項２】
前記錠ケースの角ボルト進退方向の奥行き長と、前記角ボルトの進退方向の全長とが略同等に形成され、
前記角ボルトの後端部を厚み方向に二分する前記扉面に平行なスリット内に、前記スライドカム板及び前記係合手段が配置されるとともに、
前記ラッチ体が、前記スライドカム板と前記錠ケース内面との間に配置され、前記スライドカム板の板面を貫通して係止することを特徴とする請求項１記載の錠装置。
【請求項３】
前記係合手段が、
前記スライドカム板に穿設され上下方向に対し所定角度で傾斜したガイド溝と、
前記扉面に垂直な軸回りで回動自在に前記角ボルトに設けられ該ガイド溝に配置される回動リングと、
からなることを特徴とする請求項１又は請求項２記載の錠装置。
【請求項４】
前記スライドカム板に上端が係止されるとともに下端が前記錠ケースの底面に係止される引っ張りバネを有し、
前記押圧板部が、間隙を有し前記扉面に平行な一対の押圧片とからなり、
前記引っ張りバネが該一対の押圧片間の前記間隙に配置されることを特徴とする請求項１〜請求項３の何れか１項記載の錠装置。
【発明の詳細な説明】
【技術分野】
【０００１】
本発明は、閉扉状態を保持する掛け金が角ボルト状に形成される錠装置に関し、特に、錠ケースの角ボルト進退方向の奥行き長を小さくするための改良技術に関する。
【背景技術】
【０００２】
錠装置には、ロックをせずに閉扉状態を保持する掛け金（ラッチボルト）を備えたものがある。ラッチボルトは、先端に傾斜面を有して扉小口から突出する方向に付勢され、扉の閉動により、開口枠側に設けられたストライク板の縁部に傾斜面を衝接し、一旦扉内へ後退した後、ストライク板のトロヨケ内に突出することで、扉を閉めた状態に保持する。ラッチボルトは、一般に、一体となって錠ケースに設けられる進退機構により、扉表裏に設けられる操作部材（レバーハンドル、ノブ等）の操作で後退され、トロヨケ内から脱することで閉扉状態を解除する。
【０００３】
ところで、近年、ガラス素材の強度向上によってガラス扉が多用されるようになってきている。この種のガラス扉に施錠装置を設ける場合、縦框、横框等からなる金属枠部を付設し、扉開閉端の縦框に錠装置を設けるのが一般的である。このようなガラス扉の縦框に収容される錠装置に、上記ラッチボルトを設けた場合、両開き扉では、相手部材（相手側ガラス扉）の縦框に設けられるストライク板に傾斜面を衝接させることとなる。また、片開きでは、相手部材（開口枠）に設けられたストライク板に傾斜面を衝接させることとなった。
【発明の開示】
【発明が解決しようとする課題】
【０００４】
しかしながら、特にガラス扉に設けられる錠装置の場合、衝接時の反力を発生させないため、傾斜面を衝接させないラッチボルト機構とすることが望ましい。また、ガラス扉の意匠性を低下させないためには、錠装置を収容する縦框をできるだけ幅の狭いスリムなものとすることが望ましい。すなわち、相手部材との衝接による反力を利用せず、しかも、錠ケースのラッチボルト進退方向の奥行き長を最小にできる錠装置の開発要請があった。
【０００５】
本発明は上記状況に鑑みてなされたもので、錠ケースのラッチボルト進退方向の奥行き長を最小にできる錠装置を提供し、もって、幅寸法の小さい縦框に対する収容を可能にし、特にガラス扉での金属枠部分を小さくして、意匠性の向上を図ることを目的とする。
【課題を解決するための手段】
【０００６】
次に、上記の課題を解決するための手段を、実施の形態に対応する図面を参照して説明する。
本発明の請求項１記載の錠装置は、閉扉状態を保持する掛け金が角ボルト状に形成される錠装置１００であって、
扉開閉端の縦框１３に収容される錠ケース２５と、
扉面に垂直な軸回りで回動自在となって該錠ケース２５に内設され扉表裏に設けられる操作部材１７，１９によって回動される入力部材２１と、
前記扉面と平行な板材からなり前記縦框１３の長手方向に沿って往復動自在に前記錠ケース２５に内設されるスライドカム板３７と、
前記縦框１３の扉開閉端面１３ａから進退するよう横方向に往復動自在に前記錠ケース２５に内設される角ボルト１５と、
前記入力部材２１に形成され該入力部材２１の一方向の回転によって前記スライドカム板３７を押し上げる押圧板部１６５と、
前記スライドカム板３７と前記角ボルト１５に亘って設けられ前記スライドカム板３７の上下動を前記角ボルト１５の後退・進出動に変換して伝達する係合手段１３７と、
前記錠ケース２５に設けられ前記スライドカム板３７の上端移動位置で該スライドカム板３７に係止解除可能に係止して該スライドカム板３７を前記上端移動位置に保持するラッチ体３５と、
を具備したことを特徴とする。
【０００７】
この錠装置では、入力部材２１の回動を角ボルト１５の後退・進出動に変換するための連動連結機構として、スライドカム板３７を介設し、このスライドカム板３７が、角ボルト１５の進退方向と直交方向に移動自在に配置される。これにより、錠ケース２５の角ボルト後退方向に変換部材を配置したり、両部材を連結するような機構、所謂スライダ−クランク機構など揺動スペースを必要とするような作動スペースを確保する必要がなくなる。
【０００８】
請求項２記載の錠装置は、前記錠ケース２５の角ボルト進退方向の奥行き長Ｄと、前記角ボルト１５の進退方向の全長Ｌとが略同等に形成され、
前記角ボルト１５の後端部を厚み方向に二分する前記扉面１１ａに平行なスリット１３５内に、前記スライドカム板３７及び前記係合手段１３７が配置されるとともに、
前記ラッチ体３５が、前記スライドカム板３７と前記錠ケース２５内面との間に配置され、前記スライドカム板３７の板面を貫通して係止することを特徴とする。
【０００９】
この錠装置では、角ボルト１５と係合するスライドカム板３７が、角ボルト１５の後端部に形成されたスリット１３５内に配置され、スリット１３５が角ボルト後退方向に突出しなくなる。また、係合手段１３７が、角ボルト１５及びスライドカム板３７の厚み方向の中心に位置し、角ボルト１５やスライドカム板３７に、角ボルト進退方向の軸回りのモーメントが発生しない。さらに、ラッチ体３５が、スライドカム板３７と錠ケース２５内面との間に配置され、これにより、錠ケース２５の厚みが大きくならず、且つ奥行き方向が長大にならなず、コンパクトになる。
【００１０】
請求項３記載の錠装置は、前記係合手段１３７が、
前記スライドカム板３７に穿設され上下方向に対し所定角度で傾斜したガイド溝１４１と、
前記扉面１１ａに垂直な軸回りで回動自在に前記角ボルト１５に設けられ該ガイド溝１４１に配置される回動リング１４３と、
からなることを特徴とする。
【００１１】
この錠装置では、スライドカム板３７のガイド溝１４１と角ボルト１５とが、回動リング１４３を介して接触し、回動リング１４３の回動によって接触摩擦が低減される。
【００１２】
請求項４記載の錠装置は、前記スライドカム板３７に上端が係止されるとともに下端が前記錠ケース２５の底面に係止される引っ張りバネ６５を有し、
前記押圧板部１６５が、間隙１６７を有し前記扉面１１ａに平行な一対の押圧片１６５ａとからなり、
前記引っ張りバネ６５が該一対の押圧片１６５ａ，１６５ａ間の前記間隙１６７に配置されることを特徴とする。
【００１３】
この錠装置では、スライドカム板３７を強制復帰させる場合に必須となる引っ張りバネ６５が、押圧片１６５ａ，１６５ａの回動スペースを利用して配設される。
【発明の効果】
【００１４】
本発明に係る請求項１記載の錠装置によれば、縦框に沿って往復動自在に錠ケースに内設されるスライドカム板と、扉開閉端面から進退するよう錠ケースに内設される角ボルトと、入力部材に形成されスライドカム板を押し上げる押圧板部と、スライドカム板の上下動を角ボルトの後退・進出動に変換する係合手段と、スライドカム板の上端移動位置でスライドカム板を保持するラッチ体とを設けたので、入力部材の回動を角ボルトの後退・進出動に変換するための連動連結機構として、スライドカム板を介設し、このスライドカム板を、角ボルトの進退方向と直交方向に移動自在に配置でき、錠ケースの角ボルト後退方向に変換部材を配置したり、両部材を連結するような機構、所謂スライダ−クランク機構など揺動スペースを必要とするような作動スペースを確保する必要がなくなり、錠ケースの角ボルト進退方向の奥行き長を最小にできる。この結果、幅寸法の小さい縦框にも錠装置が収容でき、特にガラス扉では金属枠部分を小さくして、意匠性を向上させることができる。
【００１５】
請求項２記載の錠装置によれば、錠ケースの角ボルト進退方向の奥行き長と、角ボルトの進退方向の全長とが略同等に形成され、角ボルトの後端部を厚み方向に二分するスリット内に、スライドカム板及び係合手段が配置されるので、角ボルトと係合するスライドカム板が、角ボルトの後端部に形成されたスリット内に配置され、スライドカム板が角ボルト後退方向に突出しなくなる。これにより、錠ケースの角ボルト進退方向の奥行き長を、角ボルトの進退方向の全長と同一となる最小長とすることができる。また、係合手段が、角ボルト及びスライドカム板の厚み方向の中心に位置するので、角ボルトやスライドカム板に、角ボルト進退方向の軸回りのモーメントが発生せず、角ボルト及びスライドカム板をスムースに作動させることができる。さらに、ラッチ体が、スライドカム板と錠ケース内面との間に配置され、これにより、錠ケースの厚みが大きくならず、且つ奥行き方向が長大にならなず、コンパクトになる。
【００１６】
請求項３記載の錠装置によれば、係合手段が、スライドカム板に穿設され上下方向に対し所定角度で傾斜したガイド溝と、扉面に垂直な軸回りで回動自在に角ボルトに設けられガイド溝に配置される回動リングとからなるので、スライドカム板のガイド溝と角ボルトとが、回動リングを介して接触し、回動リングの回動によって接触摩擦が低減され、スライドカム板の上下動を、角ボルトの後退・進出動にスムースに変換できる。
【００１７】
請求項４記載の錠装置によれば、スライドカム板に上端が係止されるとともに下端が錠ケースの底面に係止される引っ張りバネを有し、押圧板部が、間隙を有し扉面に平行な一対の押圧片とからなり、引っ張りバネが一対の押圧片間の間隙に配置されるので、スライドカム板を強制復帰させる場合に必須となる引っ張りバネを、押圧片の回動スペースを利用して配設でき、錠ケースの奥行き長を増大させずに、引っ張りバネを収容することができる。
【発明を実施するための最良の形態】
【００１８】
以下、本発明に係る錠装置の好適な実施の形態を図面を参照して詳細に説明する。
図１は本実施の形態の錠装置における錠ケース内の側面図、図２は図１に示した錠装置の設けられたガラス扉の斜視図である。
本実施の形態による錠装置１００は、ガラス扉１１の開閉端側の縦框１３に収容される。ガラス扉に設けられる錠装置は、衝接時の反力を発生させないため、衝接傾斜面を有しないラッチボルト機構であることが望ましい。本実施の形態による錠装置１００は、ラッチボルトが、相手部材との衝接による反力を利用しない角ボルト１５として形成されている。つまり、角ボルト１５は、閉扉状態でのみ突出し、開扉状態では一般的なラッチボルトとは異なり後退保持（収納）されるようになっている。
【００１９】
また、ガラス扉１１の意匠性を低下させないためには、錠装置１００を収容する縦框１３をできるだけ幅Ｗの狭いスリムなものとすることが望ましい。すなわち、錠装置１００は、角ボルト進退方向の奥行き長を最小にできる機構であることが望ましい。これら要請を実現すべく本実施の形態による錠装置１００は以下の構成を備える。
【００２０】
ガラス扉１１の縦框１３には操作部材であるプッシュプル杆１７，１９が表裏に備えられる。ガラス扉１１は、例えば図２の紙面表側（手前）方向（矢印ａ方向）へ開扉される。この場合、一方の扉表面１１ａに設けられるプッシュプル杆１７は、引き（プル）操作により揺動して入力部材２１を図１の時計回りに回転させる。他方の扉裏面１１ｂに設けられるプッシュプル杆１９は、押し（プッシュ）操作により揺動して入力部材２１を図１の時計回りに回転させる。
【００２１】
図３は図１に示した錠装置の分解斜視図、図４は図３の要部を拡大した分解斜視図である。
図３，図４において、２３はフロント裏板、２５は基部側錠ケース、２７は基部側ボルトガイド、２９はボルトガイド、３１はリリーサー、３３はラッチロック板、３５はラッチ体、３７はスライドカム板、３９はスライドプッシャー、４１はバネ受けである。
【００２２】
また、４３は基部側錠ケース２５をフロント裏板２３の固定穴４５に固定するケース固定ピン、４７は基部側ボルトガイド２７を基部側錠ケース２５のネジ穴４９に固定するガイド固定ビス、５１は摺接リング、５３は摺接リング５１を支持柱５５に固定するＥリング、５７はリリーサー３１を図１の反時計回りに付勢するとともにラッチロック板３３を図１の右方向へ付勢するつる巻バネ、５９は押圧円板６１を介してラッチ体３５を図１９の反時計回りに付勢するコイルバネ、６３はスライドプッシャー３９をスライドカム板３７に固定する嵌入ピン、６５はスライドカム板３７に上端が係止されるとともに下端が基部側錠ケース２５の底面に係止される引っ張りバネ、６７はリリーサー３１及びラッチロック板３３を連結する回動ピン、６９は角ボルト１５を貫通する扉面１１ａに垂直な軸である係合軸、７１は角ボルト１５に摺接する回動リング、７３は基部側錠ケース２５に固定されるバネ受け４１に上端が係止されるとともに下端が入力部材２１に係止されて入力部材２１を図１の反時計回りに付勢する操作バネを示す。
【００２３】
図５はフロント裏板の斜視図である。
フロント裏板２３は、基部側錠ケース２５の扉小口側の開口を塞ぐようにして、ケース固定ピン４３の加締めにて基部側錠ケース２５に固定される。固定穴４５の上下方向外側には図１に示す化粧板（フロント板）７５の固定穴７７，７７が形成される。固定穴７７，７７のさらに外側には基部側錠ケース２５を縦框１３に固定するためのビス挿通穴７９，７９が穿設される。図中、８１は角ボルト１５の挿通穴、８３はリリーサー３１のマグネット表出開口を示す。なお、マグネット表出開口８３から表出するリリーサー３１のマグネット１２５（図９参照）は化粧板７５によって覆われる。
【００２４】
図６は基部側錠ケースの斜視図である。
縦框１３に収容される基部側錠ケース２５は、開放側面に、不図示のケース蓋がビスにて固定される。支持柱５５の先端には摺接リング５１を保持するピン座部８５が設けられる。基部側錠ケース２５の中央部には凹部８７が形成され、凹部８７の中央にはコイルバネ５９を位置規制する突起８９が突設される。基部側錠ケース２５の角ボルト進退方向の奥行き長Ｄと、角ボルト１５の進退方向の全長Ｌ（図１１参照）とは略同等に形成されている。なお、図中、９１は基部側ボルトガイド２７及びボルトガイド２９の固定柱、９３はリリーサー３１の支持軸、９５はケース蓋の固定軸、９７はバネ受け４１の固定穴、９９は入力部材２１の受け穴を示す。
【００２５】
図７は基部側ボルトガイドの斜視図である。
基部側ボルトガイド２７は、角ボルト１５を横方向に後退・進出動させるスライド空間１０１を有する。スライド空間１０１には横方向に延在するガイド穴１０３が穿設され、ガイド穴１０３は角ボルト１５の両側部に突出する突起１０５（図１１参照）を介して角ボルト１５をガイドする。基部側ボルトガイド２７の上部にはラッチ体３５を収容するラッチ体収容穴１０７が形成され、ラッチ体収容穴１０７は前後壁に、ラッチ体３５の両端から突出する軸３５ａ（図１２参照）を支持する受け穴１０９が形成されている。ラッチ体収容穴１０７の上方にはラッチロック板収容凹部１１１が形成され、ラッチロック板収容凹部１１１は一端側の下面でラッチ体収容穴１０７と通じている。ラッチ体３５は、軸３５ａが受け穴１０９に支持されることで軸３５ａ回りに回動し、且つ扉表面１１ａに垂直方向でスライド可動するようになっている。なお、図中、１１０，１１２はガイド固定ビス４７を挿通するための固定穴、１１９は固定柱９１が貫通する貫通穴を示す。
【００２６】
図８はボルトガイドの斜視図である。
ボルトガイド２９は、角ボルト１５を横方向に後退・進出動させるスライド空間１１３を有する。スライド空間１１３には横方向に延在するガイド穴１１５が穿設され、ガイド穴１１５は角ボルト１５の側部に突出する突起１０５を介して角ボルト１５をガイドする。なお、図中、１１７はボルトガイド２９を固定柱９１に取り付けるための貫通穴を示す。
【００２７】
図９はリリーサーの斜視図である。
リリーサー３１は、中央部に、支持軸９３の貫通する支持穴１２１が穿設される。リリーサー３１の下部にはラッチロック板３３との連結を行う回動ピン６７の挿通される連結穴１２３が形成される。リリーサー３１の上部にはマグネット１２５が付設され、マグネット１２５はフロント裏板２３のマグネット表出開口８３に一致する。リリーサー３１は、例えば相手部材（相手側ガラス扉又は開口枠等）に設けられたマグネット、或いは電磁石からの斥力を受けることで、図２０の時計回りに回転し、ラッチロック板３３を同図の左方向へスライド移動し、その結果、図１９（ｄ）に示すようにラッチ体３５の回転規制を解除するようになっている。
【００２８】
図１０はラッチロック板の斜視図である。
ラッチロック板３３は、リリーサー３１との連結を行う回動ピン６７の挿通される穴１２７を有する。ラッチロック板３３の上面にはつる巻バネ５７の受け部１２９が形成される。ラッチロック板３３の一端側の下面は、ラッチ体３５の回転を規制する回転規制面１３１となる。
【００２９】
図１１は角ボルトの斜視図である。
角ボルト１５は、縦框１３の扉開閉端面１３ａから進退するよう横方向に往復動自在に基部側錠ケース２５に内設される。角ボルト１５の先端面には、安全性上、厚み方向両側の角部を除去した傾斜部１３３，１３３が形成されている。角ボルト１５の後端部には、厚み方向に二分する扉表面１１ａに平行なスリット１３５が形成され、スリット１３５はスライドカム板３７及び後述の係合手段１３７（図４参照）を配置する。角ボルト１５には両側面に貫通する軸穴１３６が穿設され、軸穴１３６は係合軸６９を嵌入する。
【００３０】
基部側錠ケース２５の角ボルト進退方向の奥行き長Ｄと、角ボルト１５の進退方向の全長Ｌとが略同等に形成され、角ボルト１５の後端部を厚み方向に二分するスリット１３５内に、スライドカム板３７及び係合手段１３７が配置されるので、角ボルト１５と係合するスライドカム板３７が、角ボルト１５の後端部に形成されたスリット１３５内に配置され、スライドカム板３７が角ボルト後退方向に突出しなくなる。これにより、基部側錠ケース２５の奥行き長Ｄを、角ボルト１５の進退方向の全長Ｌと同一となる最小長としている。
【００３１】
図１２はラッチ体の斜視図である。
ラッチ体３５は、基部側錠ケース２５に、基部側ボルトガイド２７を介して設けられる。ラッチ体３５は、スライドカム板３７の上端移動位置（図１８の移動位置参照）でスライドカム板３７に係止解除可能に係止して、スライドカム板３７をこの上端移動位置に保持する。ラッチ体３５には軸３５ａと直交する方向に受け座１３９が突出され、受け座１３９は上方に配置されるラッチロック板３３の回転規制面１３１に当接する。
【００３２】
図１３はスライドカム板の斜視図である。
スライドカム板３７は、扉表面１１ａと平行な板材からなり、縦框１３の長手方向に沿って往復動自在に基部側錠ケース２５に内設される。
【００３３】
スライドカム板３７と角ボルト１５には両者に亘って係合手段１３７が設けられ、係合手段１３７はスライドカム板３７の上下動を角ボルト１５の後退・進出動に変換して伝達する。本実施の形態において、係合手段１３７は、スライドカム板３７に穿設され上下方向に対し所定角度で傾斜したガイド溝１４１と、扉表面１１ａに垂直な係合軸６９回りで回動自在に角ボルト１５に設けられ、ガイド溝１４１内に配置される回動リング１４３とからなる。
【００３４】
係合手段１３７が、スライドカム板３７に穿設され上下方向に対し所定角度で傾斜したガイド溝１４１と、扉面に垂直な係合軸６９回りで回動自在に角ボルト１５に設けられる回動リング１４３とからなるので、スライドカム板３７のガイド溝１４１と角ボルト１５とが、回動リング１４３を介して接触し、回動リング１４３の回動によって接触摩擦が低減される。これにより、スライドカム板３７の上下動を、角ボルト１５の後退・進出動にスムースに変換できる。なお、ガイド溝１４１の上端は、図１３に示すように、垂直部が形成され、角ボルト１５が進出した際の位置保持すなわち突出状態の維持を行う。
【００３５】
また、係合手段１３７が、角ボルト１５及びスライドカム板３７の厚み方向の略中心に位置するので、角ボルト１５やスライドカム板３７に、角ボルト進退方向の軸回りのモーメントが発生せず、角ボルト１５及びスライドカム板３７をスムースに作動させることができる。すなわち、角ボルト１５やスライドカム板３７が、扉表裏側に傾いて移動されなくなる。なお、図中、１４５は摺接リング５１の摺接するガイド穴、１４７はラッチ体３５の係止穴、１４９は引っ張りバネ６５の係止爪、１５１は嵌入ピン６３の挿通穴を示す。
【００３６】
図１４はスライドプッシャーの斜視図である。
スライドプッシャー３９は、上面にスライドカム板３７の下縁を嵌入させる溝１５３を有する。１５５は嵌入ピン６３の挿通穴を示す。スライドプッシャー３９の下面３９ａは、スライドカム板３７が押し上げられる際の後述する押圧板部の接触する座面となる。
【００３７】
図１５はバネ受けの斜視図である。
バネ受け４１は、操作バネ７３の上端を係止する係止穴１５７を有する。基部側錠ケース２５との対向面には固定穴９７に嵌合し加締めて固定される固定突起１５９が突設される。固定突起１５９と反対側の面には図示しないケース蓋に穿設された支持穴に挿入される突起１６１が突設される。
【００３８】
図１６は入力部材の斜視図である。
入力部材２１は、基部側錠ケース２５の受け穴９９に嵌合することで、扉表面１１ａに垂直な軸回りで回動自在となって基部側錠ケース２５に内設される。入力部材２１は、プッシュプル機構（不図示）の出力軸の嵌入する軸穴１６３を表裏に有する。入力部材２１は、プッシュプル杆１７，１９の押し引き操作によって回動する出力軸を介して回動される。入力部材２１には押圧板部１６５が設けられ、押圧板部１６５は入力部材２１の一方向（図１の時計回り方向）の回転によってスライドカム板３７を押し上げる。
【００３９】
押圧板部１６５は、間隙１６７を有し扉表面１１ａに平行な一対の押圧片１６５ａ，１６５ａとからなる。この押圧片１６５ａ，１６５ａの間隙１６７には引っ張りバネ６５が配置されている。このように、引っ張りバネ６５が一対の押圧片１６５ａ，１６５ａ間の間隙１６７に配置（図１参照）されることで、スライドカム板３７を強制復帰させる場合に必須となる引っ張りバネ６５を、押圧片１６５ａ，１６５ａの回動スペースを利用して配設でき、基部側錠ケース２５の奥行き長Ｄを増大させずに、引っ張りバネ６５を収容することができる。また、図中、１６９は操作バネ７３の下端を係止する一対のフック部を示す。なお、押圧板部１６５は、扉１１の表裏でそれぞれに回動可能なように一対で構成されて、プッシュプル杆１７，１９のそれぞれで回転が行われるようになっており、すなわち、押圧片１６５ａが表側と裏側とで分割構造となっており、扉１１の表からの操作と裏からの操作において同様に押圧板部１６５が回転し、表からの操作が裏へ、裏からの操作が表へ連動せず、軸穴１６３が同時に回転しないようになっている。
【００４０】
次に、上記構成を有する錠装置の作用を説明する。
図１７は入力部材回転途中の錠装置の側面図、図１８はスライドカム板が上端移動位置に保持された錠装置の側面図、図１９はラッチ体によるスライドカム板の保持・保持解除状況を（ａ）〜（ｄ）で表した動作説明図、図２０はリリーサー作動によりラッチ体の保持が解除された状態を表す錠装置の側面図である。
錠装置１００は、角ボルト１５が相手部材に突出した状態（図１の状態）で、プッシュプル杆１７，１９が操作され、入力部材２１が回転されると、図１７に示すように、押圧板部１６５にてスライドカム板３７が押し上げられる。この押し上げ移動に連動し係合手段１３７を介して、角ボルト１５は、後退スライドする。
【００４１】
スライドカム板３７が上方へ移動し、上縁がラッチ体３５に達すると、図１９（ｂ）に示すように、ラッチ体３５がコイルバネ５９の付勢力に抗して図１９の左側へ押し込まれる。さらにスライドカム板３７が移動され、ラッチ体３５に係止穴１４７が一致すると、コイルバネ５９の付勢力によりラッチ体３５が突出し、図１９（ｃ）に示すように、係止穴１４７に係止して、スライドカム板３７を上端移動位置で保持する。
【００４２】
ガラス扉１１は、この状態、すなわち、図１８に示す角ボルト１５が後退した状態で、開閉が可能となる。この状態では、プッシュプル杆１７，１９が操作されても、入力部材２１が回動するのみで、上端移動位置に配置されたスライドカム板３７に押圧板部１６５が干渉することがない。
【００４３】
これに対し、角ボルト１５を掛け金（ラッチボルト）として動作させるには、相手部材の、リリーサー３１のマグネット１２５と対向する位置に、斥力を生じさせるマグネット又は電磁石を配設しておく。これにより、ガラス扉１１が閉止されると、リリーサー３１のマグネット１２５が図２０に示すように離反動して回動し、その結果、ラッチロック板３３を同図の左方へスライド移動させる。
【００４４】
ラッチロック板３３が移動されると、図１９（ｄ）に示すように、回転規制面１３１による受け座１３９への押圧が解除され、ラッチ体３５が軸３５ａを中心に回転可能となる。これにより、引っ張りバネ６５の付勢力により下側へ引かれるスライドカム板３７にてラッチ体３５が時計回りに回転され、係止が解除されてスライドカム板３７が下降する。
【００４５】
スライドカム板３７が下降することにより、係合手段１３７を介して角ボルト１５が再び突出し、相手部材と係合することとなる。ガラス扉１１は、この閉扉状態において、プッシュプル杆１７，１９が操作されれば、再び押圧板部１６５を介してスライドカム板３７が押し上げられ、角ボルト１５が後退することにより開扉が可能となる。
【００４６】
このように、この錠装置１００では、入力部材２１の回動を角ボルト１５の後退・進出動に変換するためのスライドカム板３７が、角ボルト１５の進退方向と直交方向に移動自在に配置される。これにより、基部側錠ケース２５の角ボルト後退方向に変換部材を配置したり、作動スペースを確保する必要がなくなる。
【００４７】
したがって、上記錠装置１００によれば、縦框１３に沿って往復動自在に基部側錠ケース２５に内設されるスライドカム板３７と、扉開閉端面１３ａから進退するよう基部側錠ケース２５に内設される角ボルト１５と、入力部材２１に形成されスライドカム板３７を押し上げる押圧板部１６５と、スライドカム板３７の上下動を角ボルト１５の後退・進出動に変換する係合手段１３７と、スライドカム板３７の上端移動位置でスライドカム板３７を保持するラッチ体３５とを設けたので、入力部材２１の回動を角ボルト１５の後退・進出動に変換するためのスライドカム板３７を、角ボルト１５の進退方向と直交方向に移動自在に配置でき、基部側錠ケース２５の角ボルト後退方向に変換部材を配置したり、作動スペースを確保する必要がなくなる。
【００４８】
つまり、基部側錠ケース２５の角ボルト進退方向の奥行き長Ｄを最小にできる。この結果、相手部材との衝接による反力を利用せず、幅寸法の小さい縦框１３にも錠装置１００が収容でき、特にガラス扉１１では金属枠部分を小さくして、意匠性を向上させることができる。
【００４９】
なお、上述した実施の形態においては、操作部材として、縦框の長手方向に沿う形状とされたプッシュプル杆１７，１９を具備した構成について述べたが、入力部材２１に連結される操作部材としては、レバーハンドルやノブ等、その他の構成としても良い。
【図面の簡単な説明】
【００５０】
【図１】本実施の形態の錠装置における錠装置の錠ケース内の側面図である。
【図２】図１に示した錠装置の設けられたガラス扉の斜視図である。
【図３】図１に示した錠装置の分解斜視図である。
【図４】図３の要部を拡大した分解斜視図である。
【図５】フロント裏板の斜視図である。
【図６】基部側錠ケースの斜視図である。
【図７】基部側ボルトガイドの斜視図である。
【図８】ボルトガイドの斜視図である。
【図９】リリーサーの斜視図である。
【図１０】ラッチロック板の斜視図である。
【図１１】角ボルトの斜視図である。
【図１２】ラッチ体の斜視図である。
【図１３】スライドカム板の斜視図である。
【図１４】スライドプッシャーの斜視図である。
【図１５】バネ受けの斜視図である。
【図１６】入力部材の斜視図である。
【図１７】入力部材回転途中の錠装置の側面図である。
【図１８】スライドカム板が上端移動位置に保持された錠装置の側面図である。
【図１９】ラッチ体によるスライドカム板の保持・保持解除状況を（ａ）〜（ｄ）で表した動作説明図である。
【図２０】リリーサー作動によりラッチ体の保持が解除された状態を表す錠装置の側面図である。
【符号の説明】
【００５１】
１１…扉（ガラス扉）
１１ａ…扉面（扉表面）
１３…縦框
１３ａ…扉開閉端面
１５…角ボルト
１７，１９…操作部材（プッシュプル杆）
２１…入力部材
２５…錠ケース（基部側錠ケース）
３５…ラッチ体
３７…スライドカム板
６５…引っ張りバネ
１００…錠装置
１３５…スリット
１３７…係合手段
１４１…ガイド溝
１４３…回動リング
１６５…押圧板部
１６５ａ…押圧片
１６７…間隙
Ｄ…錠ケースの角ボルト進退方向の奥行き長
Ｌ…角ボルトの進退方向の全長
【図１】
0005107739.tif 000002
【図２】
0005107739.tif 000003
【図３】
0005107739.tif 000004
【図４】
0005107739.tif 000005
【図５】
0005107739.tif 000006
【図６】
0005107739.tif 000007
【図７】
0005107739.tif 000008
【図８】
0005107739.tif 000009
【図９】
0005107739.tif 000010
【図１０】
0005107739.tif 000011
【図１１】
0005107739.tif 000012
【図１２】
0005107739.tif 000013
【図１３】
0005107739.tif 000014
【図１４】
0005107739.tif 000015
【図１５】
0005107739.tif 000016
【図１６】
0005107739.tif 000017
【図１７】
0005107739.tif 000018
【図１８】
0005107739.tif 000019
【図１９】
0005107739.tif 000020
【図２０】
0005107739.tif 000021